(57)【要約】【課題】現地工数のさらなる低減を図り、施工性、経済性を大幅に向上させることを可能にする基礎スラブの施工方法を提供する。【解決手段】下層筋２及び／又は上層筋の一部と鉄筋受架台３とを、施工箇所とは別に設けたヤードで地組みして鉄筋モジュール６としておき、鉄筋モジュール６以外の現地施工の下層筋２を配筋した後、鉄筋モジュール６をヤードから搬送して現地施工の下層筋２の上に配置し、鉄筋モジュール６以外の現地施工の上層筋を鉄筋受架台３に支持させつつ配筋するようにした。【選択図】図４
2018178589.tif 000002
【特許請求の範囲】
【請求項１】
下層筋の上に鉄筋受架台を設け、該鉄筋受架台の上に上層筋を設け、前記下層筋と前記鉄筋受架台と前記上層筋を埋設するようにコンクリートを打設して構築される基礎スラブの施工方法であって、
前記下層筋及び／又は前記上層筋の一部と前記鉄筋受架台とを、施工箇所とは別に設けたヤードで地組みして鉄筋モジュールとしておき、
前記鉄筋モジュール以外の現地施工の下層筋を配筋した後、前記鉄筋モジュールをヤードから搬送して前記現地施工の下層筋の上に配置し、
前記鉄筋モジュール以外の現地施工の上層筋を前記鉄筋受架台に支持させつつ配筋するようにしたことを特徴とする基礎スラブの施工方法。
【発明の詳細な説明】
【技術分野】
【０００１】
本発明は、原子炉建屋のマットスラブなどの基礎スラブの施工方法に関する。
【背景技術】
【０００２】
例えば、原子力発電所の原子炉建屋は、鉄筋コンクリート製のマットスラブ（基礎スラブ）上に構築される。また、マットスラブには循環水配管を埋設／挿通し復水器に接続する場合もある（例えば、特許文献１参照）。
【０００３】
一般に、マットスラブを構築する際には、例えば格子状や、同心円状、放射状に鉄筋を配筋し、これを上下に例えば５段など複数段重ねるようにして下層筋を配筋し、下層筋の上に鉄筋受架台を設置し、鉄筋受架台に支持させつつ、鉄筋受架台の上に、例えば格子状や、同心円状、放射状に鉄筋を配筋し複数段重ねるようにして上層筋を配筋し、必要に応じて鉄筋受架台の隙間を通して配管を設置する。そして、これら下層筋、鉄筋受架台、上層筋、配管等を埋設するようにコンクリートを打設する。
【０００４】
なお、上層筋を同心円状、放射状に配筋する場合の鉄筋受架台は、例えば、同心円状で周方向に延びる部材と、中心から放射方向に延びる部材と、上下方向に延びる部材とを組み付け、同心円状で周方向に延びる部材と、中心から放射方向に延びる部材とを上下方向の高さ方向に複数段設けて平面視円形状で台状に形成される。
また、上層筋を格子状に配筋する場合の鉄筋受架台は、例えば、平面視で格子状に部材を組み付け、上下方向の高さ方向に複数段設けて台状に形成される。
【先行技術文献】
【特許文献】
【０００５】
【特許文献１】特開平１１−２４２０９０号公報
【発明の概要】
【発明が解決しようとする課題】
【０００６】
一方、上記従来の基礎スラブの施工方法においては、下層筋や上層筋のそれぞれの段層の鉄筋、鉄筋受架台の構成部材を手組で施工しており、この配筋作業、鉄筋受架台の組立設置作業に多大な労力と時間、コストを要する。
【０００７】
なお、下層筋の各段層を１２ｍ×１２ｍ程度で小さくモジュール化したり、鉄筋受架台を小さくモジュール化することも提案、実用化されているが、期待するほど大きな労力、時間、コストの低減効果を得ることができない。
【０００８】
本発明は、上記事情に鑑み、現地工数のさらなる低減を図り、施工性、経済性を大幅に向上させることを可能にする基礎スラブの施工方法を提供することを目的とする。
【課題を解決するための手段】
【０００９】
上記の目的を達するために、この発明は以下の手段を提供している。
【００１０】
本発明の基礎スラブの施工方法は、下層筋の上に鉄筋受架台を設け、該鉄筋受架台の上に上層筋を設け、前記下層筋と前記鉄筋受架台と前記上層筋を埋設するようにコンクリートを打設して構築される基礎スラブの施工方法であって、前記下層筋及び／又は前記上層筋の一部と前記鉄筋受架台とを、施工箇所とは別に設けたヤードで地組みして鉄筋モジュールとしておき、前記鉄筋モジュール以外の現地施工の下層筋を配筋した後、前記鉄筋モジュールをヤードから搬送して前記現地施工の下層筋の上に配置し、前記鉄筋モジュール以外の現地施工の上層筋を前記鉄筋受架台に支持させつつ配筋するようにしたことを特徴とする。
【発明の効果】
【００１１】
本発明の基礎スラブの施工方法においては、下層筋及び／又は上層筋の少なくとも一部を、施工現場とは別に設けたヤードにて鉄筋受架台とともに地組みして鉄筋モジュールにしておき、この鉄筋モジュールを搬送して組み込むようにしたことで、大幅な工期短縮を図ることが可能になる。
【００１２】
すなわち、作業性の良いヤードでの施工による生産性向上、安全性向上を図ることができ、また、現場施工時間を短縮でき、さらに、労務の平準化を図ることができる。これにより、大幅な工期短縮を実現することが可能になる。
【図面の簡単な説明】
【００１３】
【図１】本発明の一実施形態に係る基礎スラブを備えた原子炉建屋を示す図である。
【図２】本発明の一実施形態に係る基礎スラブの鉄筋受架台を示す平面図である。
【図３】図２のＸ１−Ｘ１線矢視図である。
【図４】本発明の一実施形態に係る基礎スラブの鉄筋モジュールを示す図である。
【発明を実施するための形態】
【００１４】
以下、図１から図４を参照し、本発明の一実施形態に係る基礎スラブの施工方法について説明する。なお、本実施形態は、本発明に係る基礎スラブが原子力発電所の原子炉建屋の鉄筋コンクリート製のマットスラブであるものとして説明を行うが、本発明は他の構造物／用途の基礎スラブにも勿論適用可能である。
【００１５】
本実施形態の原子炉建屋１は、図１に示すように、例えば、マットスラブ（基礎スラブ）Ａの上に格納容器が設けられ、この格納容器のトップスラブ上に使用済み燃料プールや機器仮置きプールを設けて構成される。
【００１６】
本実施形態のマットスラブＡは、例えば幅４０ｍ×奥行き４０ｍ程度、高さ６ｍ程度の大型の基礎スラブであり、各層、同心円状、放射状に鉄筋を配筋しつつ上下に例えば５段など複数段重ねるように形成される下層筋２と、下層筋２の上に設置される鉄筋受架台３と、鉄筋受架台３に支持させ、鉄筋受架台３の上に各層、同心円状、放射状に鉄筋を配筋しつつ複数段重ねるように形成される上層筋４とを備え、これら下層筋２、鉄筋受架台３、上層筋４、適宜設置される配管等を埋設するようにコンクリート５を打設して形成されている。
【００１７】
また、鉄筋受架台３は、図２及び図３に示すように、同心円状で周方向に延びる部材と、中心から放射方向に延びる部材と、上下方向に延びる部材とを組み付け、同心円状で周方向に延びる部材と、中心から放射方向に延びる部材とを上下方向の高さ方向に複数段設けて平面視円形状で台状に形成されている。
【００１８】
一方、上記構成からなるマットスラブＡを構築する際には（本実施形態の基礎スラブの施工方法においては）、図４に示すように、下層筋２の最上段（例えば５段目）と鉄筋受架台３をマットスラブＡの施工箇所とは別に設けたヤードで地組みし、鉄筋モジュール６としておく。
【００１９】
そして、最上段を除いた各段の下層筋２を順次配筋して形成した後、下層筋２の最上段と鉄筋受架台３を一体に組み付けた鉄筋モジュール６をヤードから吊り上げ搬送し、最上段を除いて先行形成した下層筋２の上の所定位置に配置し、最上段と下段の下層筋２とを一体にする。
【００２０】
次に、鉄筋受架台３に支持させつつ、鉄筋受架台３の上に同心円状、放射状に鉄筋を配筋し、複数段重ねるようにして上層筋４を設け、必要に応じて鉄筋受架台３の隙間を通して配管を設置する。
【００２１】
最後に、下層筋２、鉄筋受架台３、上層筋４、配管等を埋設するようにコンクリート５を打設してマットスラブＡを構築する。
なお、コンクリート５は、下層筋２、鉄筋受架台３及び上層筋４の設置段階に応じ、複数回／複数段に分けて打設しても勿論構わない。
【００２２】
このマットスラブＡの施工方法においては、下層筋２の最上段を鉄筋受架台３とともにヤードで形成するとともに鉄筋受架台３と一体に組み付けて鉄筋モジュール６にしておき、この鉄筋モジュール６を搬送して組み込むようにしたことで、大幅な工期短縮を図ることが可能になる。
【００２３】
すなわち、作業性の良いヤードでの施工による生産性向上、安全性向上を図ることができ、また、現場施工時間を短縮でき、さらに、労務の平準化を図ることができる。これにより、大幅な工期短縮を実現することが可能になる。なお、本実施形態の基礎スラブＡの施工方法を用いることにより、従来工法と比較して１１日の工期短縮を実現できることが確認されている。
【００２４】
以上、本発明に係る基礎スラブの施工方法の一実施形態について説明したが、本発明は上記の実施形態に限定されるものではなく、その趣旨を逸脱しない範囲で適宜変更可能である。
【００２５】
例えば、本実施形態では、最上段の下層筋２を鉄筋受架台３に一体に組み込んで鉄筋モジュール６を形成するものとしたが、下層筋２の少なくとも一部を鉄筋受架台３に組み込んでもよい。また、上層筋４の少なくとも一部を鉄筋受架台３に組み込んで鉄筋モジュール６を構成してもよい。すなわち、必ずしも下層筋２の最上段を鉄筋受架台３に組み込んでモジュール６を形成することに限定しなくてもよい。この場合においても、本実施形態と同様の工期短縮効果を得ることが可能である。
【符号の説明】
【００２６】
１    原子炉建屋
２    下層筋
３    鉄筋受架台
４    上層筋
５    コンクリート
６    鉄筋モジュール
Ａ    マットスラブ（基礎スラブ）
【図１】
2018178589.tif 000003
【図２】
2018178589.tif 000004
【図３】
2018178589.tif 000005
【図４】
2018178589.tif 000006